(57)【要約】【課題】  送風機からの空気圧に対し、膜構造体内部で照明灯を安定して配置でき、しかも従来よりも高明度で且つ全方向への照明を可能にする。【解決手段】  柔軟で光分散透過可能な耐熱性シートで形成した袋状の膜構造体２と、該膜構造体２の内部に照明支持構成体３によって支持配置した照明灯４と、膜構造体２の内部を一定の気圧状態に維持することで膜構造体２を膨出保形するための送風機５とを備えて成る。膜構造体２は、耐熱性と光分散透過性とを有する帆布材もしくはパラシュートクロス材で形成し、送風機５を膜構造体２の内部の下方に設けて構成する。【選択図】          図１
2005209425.tif 000002
【特許請求の範囲】
【請求項１】
柔軟で光分散透過可能な耐熱性シートで形成した袋状の膜構造体と、該膜構造体の内部に照明支持構成体によって支持配置された照明灯と、膜構造体の内部を常時一定の気圧状態に維持することで当該膜構造体を膨出保形させる送風機とを備えて成ることを特徴とする照明装置。
【請求項２】
膜構造体は、耐熱性と光分散透過性とを有する帆布材もしくはパラシュートクロス材で形成されて成る請求項１記載の照明装置。
【請求項３】
膜構造体は、前記送風機を該膜構造体の内部の下方に設け、上方には空気を少量ずつ吹き出させる空気排出孔を有する請求項１または２記載の照明装置。
【請求項４】
照明灯は、メタルハライドランプまたは白熱灯もしくはハロゲンランプによって形成されている請求項１乃至３のいずれかに記載の照明装置。
【請求項５】
照明灯は、照明支持構成体の周囲に配した防護ネットによって囲繞され、該照明支持構成体内の下側に前記送風機が配置されている請求項１乃至４のいずれかに記載の照明装置。
【請求項６】
照明灯は、照明支持構成体内の上側から上下位置調整自在に垂下配設されている請求項１乃至５のいずれかに記載の照明装置。
【請求項７】
防護ネットの外側には着色透明のフィルムシートが張設されている請求項５または６記載の照明装置。
【請求項８】
照明支持構成体の上端には前記空気排出孔を有する上側取付カバーが付設され、膜構造体の上端に設けた開口部が上側取付カバー外周側に任意の固定手段により着脱可能に取り付けられるものとした請求項１乃至７記載の照明装置。
【請求項９】
照明支持構成体の下端には下側取付カバーが付設され、膜構造体の下端に設けた開口部が下側取付カバー外周側に任意の固定手段により着脱可能に取り付けられるものとした請求項１乃至８記載の照明装置。
【請求項１０】
照明支持構成体下側は、伸縮自在なキャスター付き三脚によって支持されている請求項１乃至９記載の照明装置。
【発明の詳細な説明】
【技術分野】
【０００１】
本発明は、屋外または屋内に使用され、屋外としては例えば屋外ステージ、公園、盆踊り会場等で使用される高明度で且つ全方向への照明が可能な照明装置に関する。
【背景技術】
【０００２】
従来、このような照明装置としては、例えば特許文献１に開示されているように、略袋状に形成された膜構造体の内部に送風機と照明器具が配置され、照明器具は、送風機による空気圧で膜構造体が膨張した際に、当該膜構造体内部に渡設した紐状部材に発生する引っ張り力で保持されるものとした空気膜造形体なるものが提案されている。
【特許文献１】特開平９−２７４４６０号公報
【発明の開示】
【発明が解決しようとする課題】
【０００３】
しかしながら、上記従来例によれば、膨張した空気膜造形体の使用に際し、照明器具が膜構造体内部に渡設した紐状部材に発生する引っ張り力で保持されるものであるため、空気膜造形体を膨張保形すべき送風機からの空気圧によって照明器具自体が膜構造体内部で上下左右に振動したり、旋回揺動したりして非常に不安定であり、しかもその反動で膜構造体全体が転倒してしまう虞れが生じ、さらに照明器具の動きによって安定した照明効果が得られないものとなってしまう等の問題点を有している。
【０００４】
そこで、本発明は、叙上のような従来存した諸事情に鑑み創出されたもので、送風機からの空気圧に対し、膜構造体内部で照明灯を安定して配置させることができ、しかも従来よりも高明度で且つ全方向への照明が可能な照明装置を提供することを目的とする。
【課題を解決するための手段】
【０００５】
上記目的を達成するために本発明にあっては、柔軟で光分散透過可能な耐熱性シートで形成した袋状の膜構造体と、該膜構造体の内部に照明支持構成体によって支持配置された照明灯と、膜構造体の内部を常時一定の気圧状態に維持することで当該膜構造体を膨出保形させる送風機とを備えて成ることを特徴とした。
【０００６】
そして、膜構造体は、耐熱性と光分散透過性とを有する帆布材もしくはパラシュートクロス材で形成されて成るものとすることができると共に、前記送風機を該膜構造体の内部の下方に設け、上方には空気を少量ずつ吹き出させる空気排出孔を有するものとすることができる。
【０００７】
一方、照明灯は、メタルハライドランプまたは白熱灯もしくはハロゲンランプによって形成されているものとすることができると共に、照明支持構成体の周囲に配した防護ネットによって囲繞され、該照明支持構成体内の下側に前記送風機が配置されているものとすることができる。また、照明灯は、照明支持構成体内の上側から上下位置調整自在に垂下配設されているものとすることができる。
【０００８】
防護ネットの外側には着色透明のフィルムシートが張設されているものとすることができる。
照明支持構成体の上端には前記空気排出孔を有する上側取付カバーが付設され、膜構造体の上端に設けた開口部が上側取付カバー外周側に任意の固定手段により着脱可能に取り付けられるものとすることができると共に、照明支持構成体の下端には下側取付カバーが付設され、膜構造体の下端に設けた開口部が下側取付カバー外周側に任意の固定手段により着脱可能に取り付けられるものとすることができる。さらに、照明支持構成体下側は、伸縮自在なキャスター付き三脚によって支持されているものとすることができる。
【０００９】
以上のように構成された本発明に係る照明装置にあって、照明支持構成体は、送風機からの空気圧に対し、膜構造体内部で照明灯を安定して配置させる。また、照明灯は、送風機によって膨出保形している膜構造体内側から外周側へ向けて光を分散透過させ、高明度で且つ全方向への照明を可能にさせる。さらに、防護ネットの外側に張設された着色透明のフィルムシートは、膜構造体を各種の色に照明させる。また、空気排出孔は、送風機によって膜構造体内に送られてくる空気を少量ずつ排出させ、膜構造体内の空気圧を常時一定の値に維持させるものとなって膜構造体自体を一定の膨出形状に保形させる。しかも、照明灯からの光による輻射熱を送風機の空気によって外へ逃散させ、膜構造体内に熱がこもるのを未然に回避させる。
【発明の効果】
【００１０】
本発明は以上のように構成されているために、送風機からの空気圧に対し、膜構造体内部で照明灯を安定して配置させることができ、しかも従来よりも高明度で且つ全方向への照明が可能となる。
【発明を実施するための最良の形態】
【００１１】
以下、本発明を実施する最良の形態を図面を参照して説明すると、図に示される符号１は、高明度で且つ全方向への照明を可能とした球形状の空気膜造形体を備えた照明装置であり、当該照明装置１は、柔軟で光分散透過可能な耐熱性シートである、例えば帆布材もしくはパラシュートクロス材等で形成した袋状の膜構造体２の内部に照明支持構成体３によって支持配置された、例えばメタルハライドランプによって形成されている照明灯４を備え、膜構造体２の内部を常時一定の気圧状態に維持することで当該膜構造体２を膨出保形させるための送風機５を照明支持構成体３内の下側に備えて成る。なお、照明灯４としては、メタルハライドランプ以外にも、例えば白熱灯やハロゲンランプ等でも良い。ところで、既述したように柔軟で光分散透過可能な耐熱性シートで形成された袋状の膜構造体２は、中央の上下両端に所定の口径からなる上方開口部２Ａと下方開口部２Ｂを有している。
【００１２】
照明支持構成体３は、図１に示すように、複数の送風孔５Ａが上部中央に形成されている送風機５上面の周囲に複数本の支柱６を立設し、その支柱６上端には円形状の支持板７を載設固定し、さらに、この支持板７の下面中央には、外部の電源１３にケーブル１４を介して接続された照明灯４を垂下配設させた構成としてある。照明灯４は図示例では支持板７の下面に固定されているが、必要に応じて上下位置を調整できるように支持板７に取り付けることもできる。
【００１３】
そして、支柱６の外側には耐熱性のある防護ネット８を配置し、さらに防護ネット８の外側には赤青黄等の各種の色を有する透明なフィルムシート９を張設してある。尚、このフィルムシート９は、照明灯４の照明だけで良い時は取り外すことができる。その時の着脱手段として面ファスナー等を用いることができる。
【００１４】
照明支持構成体３の支持板７外側には、リング状の上側取付カバー１０をその中央穴周縁部が例えば溶着されることによって取り付けられ、膜構造体２の上端に設けた上方開口部２Ａが上側取付カバー１０の外周側に任意の固定手段１２として、例えばスライドファスナ、面ファスナ、雄雌ボタン等により着脱可能に取り付けられるものとしてある。
【００１５】
また、送風機５の下端には、リング状の下側取付カバー１１が例えば溶着されることによって取り付けられ、膜構造体２の下端に設けた下方開口部２Ｂが下側取付カバー１１外周側に任意の固定手段１２として、例えばスライドファスナ、面ファスナ、雄雌ボタン等により着脱可能に取り付けられるものとしてある。
【００１６】
一方、支柱６上端に載設固定された支持板７の上面には、中央部に一個、外周に複数個（図示例では４個）の吊り具１５が付設されると共に、送風機５の下側には、伸縮自在でしかも折り畳み可能なキャスター付き三脚１６が設けられている。このように構成することで必要に応じて地上に設置したり、あるいは天井等に吊り下げて使用することができる。
【００１７】
次に、以上のように構成された最良の形態についての使用、動作の一例を説明するに、図２に示すように、先ず、照明灯４を取り付けてある照明支持構成体３における防護ネット８の外側に赤青黄等の各種の色を有する透明なフィルムシート９を張設し、照明支持構成体３の支持板７側に上側取付カバー１０を、送風機５側に下側取付カバー１１をそれぞれ取り付ける。そして、膜構造体２の上端および下端に設けた上方開口部２Ａ、下方開口部２Ｂを上側取付カバー１０、下側取付カバー１１それぞれの外周側に固定手段１２によって取り付ける。
【００１８】
使用に際し、先ず送風機５を作動させて防護ネット８内の下側から上側へ向けて空気を送ると、この空気が増量するにつれて膜構造体２は徐々に膨張する。そして、送風機５による送風中、空気の一部は膜構造体２自身やその上下取付部分等から漏れるため、膜構造体２内の空気圧を常時だいたい一定の値に維持させるものとなって膜構造体２自体を一定の膨出形状に保形させると共に、照明支持構成体３により、送風機５からの空気圧に対して膜構造体２内部で照明灯４が安定して配置された状態となる。
【００１９】
電源を入力して照明灯４を点灯すると、送風機５によって膨出保形している膜構造体２の内側から外周側へ向けて光を均一に分散透過させ、高明度で且つ全方向への照明が得られる。このとき防護ネット８の外側に張設された着色透明のフィルムシート９によって、膜構造体２を各種の色に照明させる。
尚、フィルムシート９を使用していない場合は照明灯４の照明のみを利用するものである。
【産業上の利用可能性】
【００２０】
この照明装置は、球形状の空気膜造形体を備えた内部照明構造の広告体としても利用可能である。
【図面の簡単な説明】
【００２１】
【図１】本発明を実施するための最良の形態における一部分解状態の斜視図である。
【図２】同じく使用状態の一部切欠断面図である。
【図３】同じく照明支持構成体に対する膜構造体の組付状態を示す一部切欠斜視図である。
【符号の説明】
【００２２】
１      照明装置
２      膜構造体
２Ａ    上方開口部
２Ｂ    下方開口部
３      照明支持構成体
４      照明灯
５      送風機
６      支柱
７      支柱板
８      防護ネット
９      フィルムシート
１０    上側取付カバー
１１    下側取付カバー
１２    固定手段
【図１】
2005209425.tif 000003
【図２】
2005209425.tif 000004
【図３】
2005209425.tif 000005